【手続補正書】
【提出日】令和1年7月11日(2019.7.11)
【手続補正１】
【補正対象書類名】特許請求の範囲
【補正対象項目名】全文
【補正方法】変更
【補正の内容】
【特許請求の範囲】
【請求項１】
ワイヤレス通信ネットワークにおいて通信する方法であって、
第１のワイヤレスデバイスによって、第２のワイヤレスデバイスの接続能力情報を要求する接続能力要求メッセージを前記第２のワイヤレスデバイスに送信することと、
前記第１のワイヤレスデバイスによって、前記第１のワイヤレスデバイスにサービスを与えるために利用可能な１つまたは複数の通信プロトコルを示す接続能力応答メッセージを前記第２のワイヤレスデバイスから受信することと、
ここにおいて、前記接続能力要求メッセージと前記接続能力応答メッセージとが第１の発見プロトコルを備え、
前記第１のワイヤレスデバイスによって、前記接続能力応答メッセージに少なくとも部分的に基づいて、前記第２のワイヤレスデバイスから前記サービスを取得するための前記１つまたは複数の通信プロトコルのうちの通信プロトコルを選択することと、
前記接続能力応答メッセージに基づいて第２の発見プロトコルを実施することと
を備える、方法。
【請求項２】
前記第１のワイヤレスデバイスによって、前記選択された通信プロトコルを利用して前記第２のワイヤレスデバイスとの関連付けプロシージャを開始すること
をさらに備える、請求項１に記載の方法。
【請求項３】
前記第１のワイヤレスデバイスによって、前記選択された通信プロトコルを利用して前記第２のワイヤレスデバイスから前記サービスを受信すること
をさらに備える、請求項１に記載の方法。
【請求項４】
前記接続能力要求メッセージが関連付けより前に送信される、請求項１に記載の方法。
【請求項５】
前記接続能力応答メッセージが、属性識別子、前記接続能力応答メッセージの長さ、前記第１のワイヤレスデバイスに関連付けられたアクセスポイントの基本サービスセット識別子、前記第１のワイヤレスデバイスの媒体アクセス制御アドレス、前記第１のワイヤレスデバイスを含むネイバーアウェアネスネットワーキング（ＮＡＮ）クラスタの識別子、および前記第１のワイヤレスデバイスのＮＡＮインターフェース識別子のうちの１つまたは複数を備える、請求項１に記載の方法。
【請求項６】
前記第２の発見プロトコルから取得された情報に基づいて前記サービスのためのセッションを確立することと、
前記確立されたセッションを使用して前記サービスのためのデータ交換を実施することと
をさらに備える、請求項５に記載の方法。
【請求項７】
前記第２の発見プロトコルから取得された前記情報が、インターネットプロトコルアドレスまたは宛先サービスアクセスポイントを備え、前記セッションが、前記インターネットプロトコルアドレスまたは前記宛先サービスアクセスポイントを使用して確立される、請求項６に記載の方法。
【請求項８】
前記第１の発見プロトコルがＢｌｕｅｔｏｏｔｈ低エネルギー発見機構を備え、ここにおいて、前記第２の発見プロトコルが、ピアツーピア発見機構、ネイバーアウェアネスネットワーキング発見機構、ニアフィールド通信発見機構、および既存のインフラストラクチャプロトコルのうちの１つまたは複数を備える、請求項７に記載の方法。
【請求項９】
前記セッションを確立することが、前記接続能力応答メッセージ中に含まれる情報に基づいてＰ２Ｐグループを形成するかまたはＰ２Ｐグループに加わること、前記接続能力応答メッセージ中に含まれる情報に基づいてＮＡＮデータパスを形成するかまたはＮＡＮデータパスに加わることによってＮＡＮ接続を開始すること、あるいは前記接続能力応答メッセージ中に含まれるＢＳＳＩＤまたはＭＡＣアドレスに基づいてアクセスポイントへの接続を利用することを備える、請求項８に記載の方法。
【請求項１０】
前記１つまたは複数の通信プロトコルが、ネイバーアウェアネスネットワーキングプロトコル、ピアツーピアプロトコル、および既存のインフラストラクチャプロトコルのうちの１つまたは複数を備える、請求項１に記載の方法。
【請求項１１】
ワイヤレス通信ネットワークにおいて通信するための装置であって、
第２のワイヤレスデバイスの接続能力情報を要求する接続能力要求メッセージを前記第２のワイヤレスデバイスに送信するように構成された送信機と、
前記第１のワイヤレスデバイスにサービスを与えるために利用可能な１つまたは複数の通信プロトコルを示す接続能力応答メッセージを前記第２のワイヤレスデバイスから受信するように構成された受信機と、ここにおいて、前記接続能力要求メッセージと前記接続能力応答メッセージとが第１の発見プロトコルを備え、
前記接続能力応答メッセージに基づいて第２の発見プロトコルを実施することと、
前記接続能力応答メッセージに少なくとも部分的に基づいて、前記第２のワイヤレスデバイスから前記サービスを取得するための前記１つまたは複数の通信プロトコルのうちの通信プロトコルを選択することと
を行うように構成されたハードウェアプロセッサと
を備える、装置。
【請求項１２】
前記ハードウェアプロセッサが、前記選択された通信プロトコルを利用して前記第２のワイヤレスデバイスとの関連付けプロシージャを開始するようにさらに構成された、請求項１１に記載の装置。
【請求項１３】
前記受信機が、前記選択された通信プロトコルを利用して前記第２のワイヤレスデバイスから前記サービスを受信するようにさらに構成された、請求項１１に記載の装置。
【請求項１４】
前記接続能力応答メッセージが、属性識別子、前記接続能力応答メッセージの長さ、前記第１のワイヤレスデバイスに関連付けられたアクセスポイントの基本サービスセット識別子、前記第１のワイヤレスデバイスの媒体アクセス制御アドレス、前記第１のワイヤレスデバイスを含むネイバーアウェアネスネットワーキング（ＮＡＮ）クラスタの識別子、および前記第１のワイヤレスデバイスのＮＡＮインターフェース識別子のうちの１つまたは複数を備える、請求項１１に記載の装置。
【請求項１５】
前記ハードウェアプロセッサは、
前記第２の発見プロトコルから取得された情報に基づいて前記サービスのためのセッションを確立することと、
前記セッションを使用して前記サービスのためのデータ交換を実施することと
を行うようにさらに構成された、請求項１４に記載の装置。
【請求項１６】
前記第２の発見プロトコルから取得された前記情報が、インターネットプロトコルアドレスまたは宛先サービスアクセスポイントを含み、前記セッションが、前記インターネットプロトコルアドレスまたは前記宛先サービスアクセスポイントを使用して確立される、請求項１５に記載の装置。
【請求項１７】
前記第１の発見プロトコルがＢｌｕｅｔｏｏｔｈ低エネルギー発見機構を備え、ここにおいて、前記第２の発見プロトコルが、ピアツーピア発見機構、ネイバーアウェアネスネットワーキング発見機構、ニアフィールド通信発見機構、および既存のインフラストラクチャプロトコルのうちの１つまたは複数を備える、請求項１５に記載の装置。
【請求項１８】
前記１つまたは複数の通信プロトコルが、ネイバーアウェアネスネットワーキングプロトコル、ピアツーピアプロトコル、および既存のインフラストラクチャプロトコルのうちの１つまたは複数を備える、請求項１１に記載の装置。
【請求項１９】
ワイヤレス通信ネットワークにおいて通信するための装置であって、
第２のワイヤレスデバイスの接続能力情報を要求する接続能力要求メッセージを前記第２のワイヤレスデバイスに送信するための手段と、
前記第１のワイヤレスデバイスにサービスを与えるために利用可能な１つまたは複数の通信プロトコルを示す接続能力応答メッセージを前記第２のワイヤレスデバイスから受信するための手段と、
ここにおいて、前記接続能力要求メッセージと前記接続能力応答メッセージとが第１の発見プロトコルを備え、
前記接続能力応答メッセージに少なくとも部分的に基づいて、前記第２のワイヤレスデバイスから前記サービスを取得するための前記１つまたは複数の通信プロトコルのうちの通信プロトコルを選択するための手段と、
前記接続能力応答メッセージに基づいて第２の発見プロトコルを実施するための手段と
を備える、装置。
【請求項２０】
実行されたとき、ワイヤレス通信ネットワークにおいて通信する方法を実施するコードを備える非一時的コンピュータ可読媒体であって、前記方法が、
第１のワイヤレスデバイスによって、第２のワイヤレスデバイスの接続能力情報を要求する接続能力要求メッセージを前記第２のワイヤレスデバイスに送信することと、
前記第１のワイヤレスデバイスによって、前記第１のワイヤレスデバイスにサービスを与えるために利用可能な１つまたは複数の通信プロトコルを示す接続能力応答メッセージを前記第２のワイヤレスデバイスから受信することと、
ここにおいて、前記接続能力要求メッセージと前記接続能力応答メッセージとが第１の発見プロトコルを備え、
前記第１のワイヤレスデバイスによって、前記接続能力応答メッセージに少なくとも部分的に基づいて、前記第２のワイヤレスデバイスから前記サービスを取得するための前記１つまたは複数の通信プロトコルのうちの通信プロトコルを選択することと、
前記接続能力応答メッセージに基づいて第２の発見プロトコルを実施することと
を備える、非一時的コンピュータ可読媒体。
【請求項２１】
ワイヤレス通信ネットワークにおいて通信する方法であって、
第１のワイヤレスデバイスによって、サービスを与えるための第２のワイヤレスデバイスをシークする発見メッセージを送信することと、
前記第１のワイヤレスデバイスによって、前記サービスに関する情報を与える発見応答メッセージを前記第２のワイヤレスデバイスから受信することと、
前記第１のワイヤレスデバイスによって、前記発見応答メッセージを受信したことに基づいて、前記第２のワイヤレスデバイスの接続能力情報を要求する接続能力要求メッセージを前記第２のワイヤレスデバイスに送信することと、
前記第１のワイヤレスデバイスによって、接続能力応答メッセージを前記第２のワイヤレスデバイスから受信することと、
ここにおいて、前記接続能力要求メッセージと前記接続能力応答メッセージとが第１の発見プロトコルを備え、
前記接続能力応答メッセージに基づいて第２の発見プロトコルを実施することと、
前記第１のワイヤレスデバイスによって、前記接続能力応答メッセージに少なくとも部分的に基づいて、前記第２のワイヤレスデバイスから前記サービスを取得するための通信プロトコルを選択することと、
前記第１のワイヤレスデバイスによって、前記選択された通信プロトコルを介して前記第２のワイヤレスデバイスから前記サービスを受信することと
を備える、方法。
【請求項２２】
ワイヤレス通信ネットワークにおいて通信する方法であって、
第２のワイヤレスデバイスによって、接続能力要求メッセージを第１のワイヤレスデバイスから受信することと、前記接続能力要求メッセージが前記第２のワイヤレスデバイスから接続能力情報を要求し、
前記第２のワイヤレスデバイスによって、前記第１のワイヤレスデバイスにサービスを与えるために利用可能な１つまたは複数の通信プロトコルを示す接続能力応答メッセージを生成することと、
前記第２のワイヤレスデバイスによって、前記接続能力応答メッセージを前記第１のワイヤレスデバイスに送信することと、
ここにおいて、前記接続能力要求メッセージと前記接続能力応答メッセージとが第１の発見プロトコルを備え、
前記第２のワイヤレスデバイスによって、前記接続能力応答メッセージに基づいて第２の発見プロトコルを受信することと、
前記第２のワイヤレスデバイスによって、前記第１のワイヤレスデバイスによって選択された前記１つまたは複数の通信プロトコルのうちの通信プロトコルの指示を受信することと
を備える、方法。
【請求項２３】
前記第２のワイヤレスデバイスによって、前記選択された通信プロトコルを利用して関連付けプロシージャを介して、前記第１のワイヤレスデバイスに関連付けることをさらに備える、請求項２２に記載の方法。
【請求項２４】
前記第２のワイヤレスデバイスによって、前記選択された通信プロトコルを利用して前記第１のワイヤレスデバイスに前記サービスを与えることをさらに備える、請求項２２に記載の方法。
【手続補正２】
【補正対象書類名】明細書
【補正対象項目名】００８２
【補正方法】変更
【補正の内容】
【００８２】
[0089]上記は本開示の態様を対象とするが、本開示の他の態様およびさらなる態様は、それの基本的範囲から逸脱することなく考案され得、それの範囲は以下の特許請求の範囲によって決定される。
以下に本願の出願当初の特許請求の範囲に記載された発明を付記する。
［Ｃ１］  ワイヤレス通信ネットワークにおいて通信する方法であって、
第１のワイヤレスデバイスによって、第２のワイヤレスデバイスの接続能力情報を要求する接続能力要求メッセージを前記第２のワイヤレスデバイスに送信することと、
前記第１のワイヤレスデバイスによって、前記第１のワイヤレスデバイスにサービスを与えるために利用可能な１つまたは複数の通信プロトコルを示す接続能力応答メッセージを前記第２のワイヤレスデバイスから受信することと
を備える、方法。
［Ｃ２］  前記第１のワイヤレスデバイスによって、前記接続能力応答メッセージに少なくとも部分的に基づいて、前記第２のワイヤレスデバイスから前記サービスを取得するための通信プロトコルを選択すること
をさらに備える、Ｃ１に記載の方法。
［Ｃ３］  前記第１のワイヤレスデバイスによって、前記選択された通信プロトコルを利用して前記第２のワイヤレスデバイスとの関連付けプロシージャを開始すること
をさらに備える、Ｃ２に記載の方法。
［Ｃ４］  前記第１のワイヤレスデバイスによって、前記選択された通信プロトコルを利用して前記第２のワイヤレスデバイスから前記サービスを受信すること
をさらに備える、Ｃ２に記載の方法。
［Ｃ５］  前記接続能力要求メッセージが関連付けより前に送信される、Ｃ１に記載の方法。
［Ｃ６］  前記接続能力応答メッセージが、属性識別子、前記接続能力応答メッセージの長さ、前記第１のワイヤレスデバイスに関連付けられたアクセスポイントの基本サービスセット識別子、前記第１のワイヤレスデバイスの媒体アクセス制御アドレス、前記第１のワイヤレスデバイスを含むネイバーアウェアネスネットワーキング（ＮＡＮ）クラスタの識別子、および前記第１のワイヤレスデバイスのＮＡＮインターフェース識別子のうちの１つまたは複数を備える、Ｃ１に記載の方法。
［Ｃ７］  前記接続能力要求メッセージと前記接続能力応答メッセージとが第１の発見プロトコルを備え、前記方法が、
前記接続能力応答メッセージに基づいて第２の発見プロトコルを実施することと、
前記第２の発見プロトコルから取得された情報に基づいて前記サービスのためのセッションを確立することと、
前記確立されたセッションを使用して前記サービスのためのデータ交換を実施することと
をさらに備える、Ｃ６に記載の方法。
［Ｃ８］  前記第２の発見プロトコルから取得された前記情報が、インターネットプロトコルアドレスまたは宛先サービスアクセスポイントを備え、前記セッションが、前記インターネットプロトコルアドレスまたは前記宛先サービスアクセスポイントを使用して確立される、Ｃ７に記載の方法。
［Ｃ９］  前記第１の発見プロトコルがＢｌｕｅｔｏｏｔｈ低エネルギー発見機構を備え、ここにおいて、前記第２の発見プロトコルが、ピアツーピア発見機構、ネイバーアウェアネスネットワーキング発見機構、ニアフィールド通信発見機構、および既存のインフラストラクチャプロトコルのうちの１つまたは複数を備える、Ｃ８に記載の方法。
［Ｃ１０］  前記セッションを確立することが、前記接続能力応答メッセージ中に含まれる情報に基づいてＰ２Ｐグループを形成するかまたはＰ２Ｐグループに加わること、前記接続能力応答メッセージ中に含まれる情報に基づいてＮＡＮデータパスを形成するかまたはＮＡＮデータパスに加わることによってＮＡＮ接続を開始すること、あるいは前記接続能力応答メッセージ中に含まれるＢＳＳＩＤまたはＭＡＣアドレスに基づいてアクセスポイントへの接続を利用することを備える、Ｃ９に記載の方法。
［Ｃ１１］  前記１つまたは複数の通信プロトコルが、ネイバーアウェアネスネットワーキングプロトコル、ピアツーピアプロトコル、および既存のインフラストラクチャプロトコルのうちの１つまたは複数を備える、Ｃ１に記載の方法。
［Ｃ１２］  ワイヤレス通信ネットワークにおいて通信するための装置であって、
第２のワイヤレスデバイスの接続能力情報を要求する接続能力要求メッセージを前記第２のワイヤレスデバイスに送信するように構成された送信機と、
前記第１のワイヤレスデバイスにサービスを与えるために利用可能な１つまたは複数の通信プロトコルを示す接続能力応答メッセージを前記第２のワイヤレスデバイスから受信するように構成された受信機と
を備える、装置。
［Ｃ１３］  前記接続能力応答メッセージに少なくとも部分的に基づいて、前記第２のワイヤレスデバイスから前記サービスを取得するための通信プロトコルを選択するように構成されたハードウェアプロセッサをさらに備える、Ｃ１２に記載の装置。
［Ｃ１４］  前記ハードウェアプロセッサが、前記選択された通信プロトコルを利用して前記第２のワイヤレスデバイスとの関連付けプロシージャを開始するようにさらに構成された、Ｃ１３に記載の装置。
［Ｃ１５］  前記受信機が、前記選択された通信プロトコルを利用して前記第２のワイヤレスデバイスから前記サービスを受信するようにさらに構成された、Ｃ１３に記載の装置。
［Ｃ１６］  前記接続能力応答メッセージが、属性識別子、前記接続能力応答メッセージの長さ、前記第１のワイヤレスデバイスに関連付けられたアクセスポイントの基本サービスセット識別子、前記第１のワイヤレスデバイスの媒体アクセス制御アドレス、前記第１のワイヤレスデバイスを含むネイバーアウェアネスネットワーキング（ＮＡＮ）クラスタの識別子、および前記第１のワイヤレスデバイスのＮＡＮインターフェース識別子のうちの１つまたは複数を備える、Ｃ１２に記載の装置。
［Ｃ１７］  前記接続能力要求メッセージと前記接続能力応答メッセージとが第１の発見プロトコルを備え、前記装置が、
前記接続能力応答メッセージに基づいて第２の発見プロトコルを実施することと、
前記第２の発見プロトコルから取得された情報に基づいて前記サービスのためのセッションを確立することと、
前記セッションを使用して前記サービスのためのデータ交換を実施することと
を行うように構成されたハードウェアプロセッサをさらに備える、Ｃ１６に記載の装置。
［Ｃ１８］  前記第２の発見プロトコルから取得された前記情報が、インターネットプロトコルアドレスまたは宛先サービスアクセスポイントを含み、前記セッションが、前記インターネットプロトコルアドレスまたは前記宛先サービスアクセスポイントを使用して確立される、Ｃ１７に記載の装置。
［Ｃ１９］  前記第１の発見プロトコルがＢｌｕｅｔｏｏｔｈ低エネルギー発見機構を備え、ここにおいて、前記第２の発見プロトコルが、ピアツーピア発見機構、ネイバーアウェアネスネットワーキング発見機構、ニアフィールド通信発見機構、および既存のインフラストラクチャプロトコルのうちの１つまたは複数を備える、Ｃ１７に記載の装置。
［Ｃ２０］  前記１つまたは複数の通信プロトコルが、ネイバーアウェアネスネットワーキングプロトコル、ピアツーピアプロトコル、および既存のインフラストラクチャプロトコルのうちの１つまたは複数を備える、Ｃ１２に記載の装置。
［Ｃ２１］  ワイヤレス通信ネットワークにおいて通信するための装置であって、
第２のワイヤレスデバイスの接続能力情報を要求する接続能力要求メッセージを前記第２のワイヤレスデバイスに送信するための手段と、
前記第１のワイヤレスデバイスにサービスを与えるために利用可能な１つまたは複数の通信プロトコルを示す接続能力応答メッセージを前記第２のワイヤレスデバイスから受信するための手段と
を備える、装置。
［Ｃ２２］  前記接続能力応答メッセージに少なくとも部分的に基づいて、前記第２のワイヤレスデバイスから前記サービスを取得するための通信プロトコルを選択するための手段をさらに備える、Ｃ２１に記載の装置。
［Ｃ２３］  実行されたとき、ワイヤレス通信ネットワークにおいて通信する方法を実施するコードを備える非一時的コンピュータ可読媒体であって、前記方法が、
第１のワイヤレスデバイスによって、第２のワイヤレスデバイスの接続能力情報を要求する接続能力要求メッセージを前記第２のワイヤレスデバイスに送信することと、
前記第１のワイヤレスデバイスによって、前記第１のワイヤレスデバイスにサービスを与えるために利用可能な１つまたは複数の通信プロトコルを示す接続能力応答メッセージを前記第２のワイヤレスデバイスから受信することと
を備える、非一時的コンピュータ可読媒体。
［Ｃ２４］  前記方法が、
前記第１のワイヤレスデバイスによって、前記接続能力応答メッセージに少なくとも部分的に基づいて、前記第２のワイヤレスデバイスから前記サービスを取得するための通信プロトコルを選択すること
をさらに備える、Ｃ２３に記載のコンピュータ可読媒体。
［Ｃ２５］  ワイヤレス通信ネットワークにおいて通信する方法であって、
第１のワイヤレスデバイスによって、第２のワイヤレスデバイスの接続能力情報を要求する接続能力要求メッセージを前記第２のワイヤレスデバイスに送信することと、
前記第１のワイヤレスデバイスによって、接続能力応答メッセージを前記第２のワイヤレスデバイスから受信することと、
前記第１のワイヤレスデバイスによって、前記接続能力応答メッセージに少なくとも部分的に基づいて、前記第２のワイヤレスデバイスからサービスを取得するための通信プロトコルを選択することと
を備える、方法。
［Ｃ２６］  ワイヤレス通信ネットワークにおいて通信する方法であって、
第１のワイヤレスデバイスによって、サービスを与えるための第２のワイヤレスデバイスをシークする発見メッセージを送信することと、
前記第１のワイヤレスデバイスによって、前記サービスに関する情報を与える発見応答メッセージを前記第２のワイヤレスデバイスから受信することと、
前記第１のワイヤレスデバイスによって、前記発見応答メッセージを受信したことに基づいて、前記第２のワイヤレスデバイスの接続能力情報を要求する接続能力要求メッセージを前記第２のワイヤレスデバイスに送信することと、
前記第１のワイヤレスデバイスによって、接続能力応答メッセージを前記第２のワイヤレスデバイスから受信することと、
前記第１のワイヤレスデバイスによって、前記接続能力応答メッセージに少なくとも部分的に基づいて、前記第２のワイヤレスデバイスから前記サービスを取得するための通信プロトコルを選択することと、
前記第１のワイヤレスデバイスによって、前記選択された通信プロトコルを介して前記第２のワイヤレスデバイスから前記サービスを受信することと
を備える、方法。
［Ｃ２７］  ワイヤレス通信ネットワークにおいて通信する方法であって、
第２のワイヤレスデバイスによって、接続能力要求メッセージを第１のワイヤレスデバイスから受信することと、前記接続能力要求メッセージが前記第２のワイヤレスデバイスから接続能力情報を要求し、
前記第２のワイヤレスデバイスによって、前記第１のワイヤレスデバイスにサービスを与えるために利用可能な１つまたは複数の通信プロトコルを示す接続能力応答メッセージを生成することと、
前記第２のワイヤレスデバイスによって、前記接続能力応答メッセージを前記第１のワイヤレスデバイスに送信することと
を備える、方法。
［Ｃ２８］  前記第２のワイヤレスデバイスによって、前記第１のワイヤレスデバイスによって選択された通信プロトコルの指示を受信することをさらに備える、Ｃ２７に記載の方法。
［Ｃ２９］  前記第２のワイヤレスデバイスによって、前記選択された通信プロトコルを利用して関連付けプロシージャを介して、前記第１のワイヤレスデバイスに関連付けることをさらに備える、Ｃ２８に記載の方法。
［Ｃ３０］  前記第２のワイヤレスデバイスによって、前記選択された通信プロトコルを利用して前記第１のワイヤレスデバイスに前記サービスを与えることをさらに備える、Ｃ２８に記載の方法。